【手続補正書】
【提出日】平成15年6月2日(2003.6.2)
【手続補正１】
【補正対象書類名】明細書
【補正対象項目名】特許請求の範囲
【補正方法】変更
【補正の内容】
【特許請求の範囲】
【請求項１】
複数のピクセル（１４，１６）と、該ピクセル（１４，１６）にアドレシングするための別個の第１（Ｘ１；１２２，１２４，１２６；ｒ１，ｒ２，ｒ３；ｒ１，ｒ２，ｒ３，ｒ４）、第２（Ｙ１，Ｙ２；２１０）のセットのアドレシング手段とを有する電気泳動媒体を含む電子ディスプレイ（１０；２０；１００；５０；２００；２３０；２４０；２５０）電子ディスプレイであって、該各ピクセル（１４，１６）は、該二つのセットのそれぞれの内の一つのアドレシング手段に関連付けられ、それにより任意の特定のピクセル（１４，１６）が、所定の範囲内の信号を、該特定のピクセル（１４，１６）に関連付けられた該二つのアドレシング手段のそれぞれに印加することによってアドレシングされることができ、該ディスプレイ（１０；２０；１００；５０；２００）は、該第１および第２のセット（Ｘ１，Ｙ１，Ｙ２；１２２，１２４，１２６；ｒ１，ｒ２，ｒ３；ｒ１，ｒ２，ｒ３，ｒ４，２１０）とは別個の第３のセットのアドレシング手段（１２；１２８，１３０；ｚ１，ｚ２；ｃ１，ｃ２，ｃ３，ｃ４）を特徴とし、該各ピクセル（１４，１６）もまた、該第３のセット（１２；１２８，１３０；ｚ１，ｚ２；ｃ１，ｃ２，ｃ３，ｃ４）の内の一つのアドレシング手段に関連付けられ、それにより該任意の特定のピクセル（１４，１６）は、該特定のピクセル（１４，１６）に関連付けられた該三つのアドレシング手段のそれぞれに所定の範囲内の信号を印加することによってアドレシングされることができる、電子ディスプレイ。
【請求項２】
前記ピクセルは複数のサブアレイで構成され、任意の特定のサブアレイ内の各ピクセルは、前記第１（１２２，１２４，１２６；ｒ１，ｒ２，ｒ３）および第２のセットのアドレシング手段の内の一つに関連付けられ、前記第３のセットのアドレシング手段（１２８，１３０；ｚ１，ｚ２）は、複数のスイッチング手段の形態を有し、該少なくとも一つのスイッチング手段は、該サブアレイのそれぞれに関連付けられ、該スイッチング手段（１２８，１３０；ｚ１，ｚ２）は、オフ状態を有する各サブアレイに関連付けられ、該第１（１２２，１２４，１２６；ｒ１，ｒ２，ｒ３）および第２のセットのアドレシング手段の内の少なくとも一つの信号は、該関連付けられたサブアレイへの到達を妨げ、そしてオン状態では、該第１（１２２，１２４，１２６；ｒ１，ｒ２，ｒ３）および第２のセットのアドレシング手段の両方からの信号は、該関連付けられたサブアレイに到達かつアドレシングすることを可能にする、請求項１に記載の電子ディスプレイ。
【請求項３】
一つのサブアレイに関連付けられた前記スイッチング手段（１２８，１３０；ｚ１，ｚ２）のみが任意の所与の時間にオン状態であるように該スイッチング手段（１２８，１３０；ｚ１，ｚ２）を制御するように構成される制御手段を特徴とする、請求項２に記載の電子ディスプレイ。
【請求項４】
前記各サブアレイは、離散ページ（Ｐ１，Ｐ２）を含み、該ページ（Ｐ１，Ｐ２）は、互いの上部にスタックされる前記複数のサブアレイによって形成され、それにより前記全体のディスプレイ（５０）がマルチページ電子ブックを形成することを特徴とする、請求項２または３に記載の電子ディスプレイ。
【請求項５】
隣接するページ（Ｐ１，Ｐ２）間で延びており、該隣接するページ（Ｐ１，Ｐ２）上の第１（ｒ１，ｒ２，ｒ３）および第２のセットのアドレシング手段の内の少なくとも一つで接続されている導電性バイアス（５２）を特徴とする、請求項４に記載の電子ディスプレイ。
【請求項６】
前記第１、第２、および第３のセットのアドレシングデバイスの全ては、電気導電体および／または電子デバイスの形態を有する、請求項１〜５のうちのいずれか一つに記載の電子ディスプレイ。
【請求項７】
前記少なくとも一つのセットのアドレシングデバイスが光導電体（２０６）を含むことを特徴とする、請求項１〜６のうちのいずれか一つに記載の電子ディスプレイ。
【請求項８】
前記光導電体（２０６）に関連付けられ、導電状態と非導電状態との間で該光導電体（２０６）をスイッチングするように選択的に動作可能である光源（２０２）を特徴とする、請求項７に記載の電子ディスプレイ。
【請求項９】
前記光導電体（２０６）に関連付けられた光源（２０２）と、該光源（２０２）と該光導電体（２０６）との間に配置され、該光源（２０２）から該光導電体（２０６）への光の透過を制御するように構成された光バルブ（２０４）とを特徴とする、請求項７に記載の電子ディスプレイ。
【請求項１０】
前記光バルブ（２０４）は、ポリマー分散型液晶を含むことを特徴とする、請求項９に記載の電子ディスプレイ。
【請求項１１】
前記光源（２０２）は、エレクトロルミネセント材料を含むことを特徴とする、請求項８、９、および１０のうちのいずれか一つに記載の電子ディスプレイ。
【請求項１２】
連続的な伸長ロウ（ｒ１，ｒ２）として構成された複数の光源、および該伸長ロウと交差する連続的な伸長カラムとして構成された複数の光バルブを特徴とし、該光源および該光バルブは、前記光導電体におけるピクセルの二次元アレイを共に規定する、請求項９に記載の電子ディスプレイ（２４０）。
【請求項１３】
マルチページ電子ディスプレイを形成するために互いの上部上にスタックされた複数のページを特徴とし、各ページは、単一の光源および単一の光バルブを有し、それにより任意の所与の時間に書き込まれるべき該一つ以上のページは、該光バルブの状態を制御することによって選択される、請求項９に記載の電子ディスプレイ。
【請求項１４】
前記第１のアドレシング手段（ｃ１，ｃ２；ｃ１，ｃ２，ｃ３，ｃ４）は、複数の電気導電体および該導電体に電位を選択的に印加するための手段を含み、前記第２のアドレシング手段（ｒ１，ｒ２）は、複数の発光デバイスおよび該発光デバイスから選択的に光を生成するための手段を含み、前記第３のアドレシング手段は、複数の光バルブ（ｚ１，ｚ２；ｚ１，ｚ２，ｚ３）および該光バルブ（ｚ１，ｚ２；ｚ１，ｚ２，ｚ３）を前記透過状態または非透過状態に設定するための手段を含むことを特徴とする、請求項９に記載の電子ディスプレイ（２３０；２４０；２５０；２６０）。
【請求項１５】
異なる色を表示するように構成された三つのセットのピクセルを特徴とし、前記第３のセットのアドレシング手段（ｚ１，ｚ２，ｚ３）は、任意の所与の時間においてアドレシングされるべき該第３のセットのピクセルの内の一つを選択するように構成される、請求項１〜１４のうちのいずれか一つに記載の電子ディスプレイ（２４０）。
【請求項１６】
前記ピクセルにアドレシングするための第４のセットのアドレシング手段を特徴とし、該第４のセットは、前記第１、第２、および第３のセットのアドレシング手段とは別個であり、前記ディスプレイのピクセルのそれぞれは、該第４のセットのそれぞれの内の一つのアドレシング手段に関連付けられ、それにより該ディスプレイの任意の特定のピクセルは、該特定のピクセルに関連付けられた四つのアドレシング手段のそれぞれに所定の範囲内の信号を印加することによってアドレシングされることができる、請求項１〜１５のうちのいずれか一つに記載の電子ディスプレイ。
【請求項１７】
前記電気泳動媒体がカプセル化された電気泳動媒体であることを特徴とする、請求項１に記載の電子ディスプレイ。
【請求項１８】
複数の別個にアドレシング可能なピクセルを有する電子光学材料を含み、該ピクセルアレイへのドライバ出力の数は、該ピクセルの数の平方根よりも小さい、電子ディスプレイ。
【請求項１９】
電子ディスプレイにアドレシングする方法であって、
複数のピクセルを有する電子光学材料を提供するステップと、
該ピクセルにアドレシングするための第１、第２、および第３のセットのアドレシング手段を提供するステップであって、該ピクセルのそれぞれは、該三つのセットのそれぞれの内の一つのアドレシング手段に関連付けられる、ステップと、
特定のピクセルに関連付けられた該三つのアドレシング手段に所定の信号を印加し、それによって該ピクセルをアドレシングするステップと
を特徴とする、電子ディスプレイにアドレシングする方法。
【請求項２０】
複数のロウおよび複数のカラムを含むアレイで構成された複数のピクセルを有する双安定性電子ディスプレイにアドレシングする方法であって、複数のロウまたは複数のカラムを選択するステップと、同時でかつ等価なスイッチングインパルスを全ての選択されたロウおよびカラムに印加するステップとを含む、双安定性電子ディスプレイにアドレシングする方法。
【請求項２１】
複数のロウにおいて構成された複数のピクセルを有する双安定性電子ディスプレイにアドレシングする方法であって、
（ａ）該ディスプレイの開始状態と所望された終了状態とを比較するステップおよび各ピクセルに対して、該ピクセルの開始状態を該ピクセルの所望された終了状態に変更させる必要がある変更を表す変更値を決定するステップと、
（ｂ）各ロウに対する該ピクセル変更値から該ロウに対するスイッチング方向値を計算するステップであって、該スイッチング方向値は、該ロウにおける全てのピクセルが該スイッチング方向値によって変更された場合、該ロウを所望された最終状態にスイッチングするために必要な該ロウスイッチ時間が最小化される値を表す、ステップと
を特徴とする、双安定性電子ディスプレイにアドレシングする方法。
【請求項２２】
（ｃ）前記ディスプレイの全てのロウに対して平均スイッチング方向値を計算するステップと、
（ｄ）ステップ（ｃ）で計算された該平均スイッチング方向値よりも小さいスイッチング方向値を用いて全てのロウを識別するステップと、
（ｅ）ステップ（ｄ）で識別された全てのロウの該平均スイッチング方向値を計算するステップと、
（ｆ）ステップ（ｅ）で計算された該平均スイッチング方向値に等しい状態の変更を引き起こすのに十分なインパルスをステップ（ｄ）で識別された全てのロウに印加するステップと、
（ｇ）ステップ（ｃ）で計算された該平均スイッチング方向値よりも大きいスイッチング方向値を用いて全てのロウを識別するステップと、
（ｈ）ステップ（ｇ）において識別された全てのロウの該平均スイッチング方向値を計算するステップと、
（ｉ）ステップ（ｇ）において識別された全てのロウに、ステップ（ｇ）で計算された該平均スイッチング方向値に等しい状態の変更を引き起こすのに十分なインパルスを印加するステップと
の内の任意の一つ以上のステップをさらに含む、請求項２１に記載の双安定性電子ディスプレイにアドレシングする方法。
【請求項２３】
第１のディスプレイ状態、該第１のディスプレイ状態と少なくとも一つの光学特性の点で異なる第２のディスプレイ状態、ならびに該第１および第２のディスプレイ状態の該光学特性中間状態の値を有する複数の中間状態をそれぞれ有する複数のピクセルを有する双安定性電子ディスプレイにアドレシングする方法であって、
該ディスプレイの全てのピクセルを該中間状態の同じ状態に駆動するステップと、
その後、該ピクセルを所望の状態に駆動するように該ピクセルに個別にアドレシングするステップと
を特徴とする、双安定性電子ディスプレイにアドレシングする方法。
【請求項２４】
複数のロウおよびカラムに構成された複数のピクセルを有する双安定性電子ディスプレイにアドレシングする方法であって、
（ａ）該ディスプレイの開始状態と所望された終了状態とを比較するステップおよび該ピクセルの開始状態を各ピクセルに対して該ピクセルの所望された終了状態に変更させる必要がある変更を表す変更値を決定するステップと、
（ｂ）ロウが異なるが同じカラムであるピクセルの該変更値を比較するステップおよび同じ変更値を有する少なくとも二つのピクセルを位置付けるステップと、
（ｃ）該ピクセルが位置付けられた該ロウおよびカラムにアドレシングすることによって、同じ値を有する該少なくとも二つのピクセルに同時にアドレシングするステップと
を特徴とする、双安定性電子ディスプレイにアドレシングする方法。
【請求項２５】
複数のピクセルを有する双安定性電子ディスプレイにアドレシングするための方法であって、
該ディスプレイの開始状態と所望された終了状態とを比較するステップおよびどのピクセルが該二つの状態間で異なるかを決定するステップと、
該二つの状態間で異なる該ピクセルのみにアドレシングするステップと
を特徴とする、双安定性電子ディスプレイにアドレシングする方法。
【請求項２６】
複数のピクセルを有する双安定性電子ディスプレイにアドレシングするための方法であって、
該ディスプレイのピクセルに関連付けられたアイランドキャパシタのアレイを提供するステップと、
受動マトリクスＸＹアドレシングによって、該ディスプレイ上で所望された画像に一致するパターンの電荷を該キャパシタに導入するステップと、
その後、該キャパシタの電荷が該ディスプレイのピクセルへのアドレシングを完成させることを可能にするステップと
を特徴とする、双安定性電子ディスプレイにアドレシングするための方法。